(57)【要約】【課題】無線通信装置の小型化を図り、かつ放熱性能の低下を防ぐ。【解決手段】無線通信装置は、筐体５５の底面部ＳＢに設けられ、底面部ＳＢの外側に、底面部ＳＢに沿って一の方向に延伸するように突設された複数のフィンを含むフィン部５３を備える。底面部ＳＢおよび側面部Ｓ１〜Ｓ４は、フィルタ５１を収納するための第１の空間３１、およびフィンの延伸方向Ｘに第１の空間３１と並んで位置し、第１の空間３１より浅く、電気部品５２を収納するための第２の空間３２を形成し、底面部ＳＢは、第１の空間３１を形成する第１の部分７１および第２の空間３２を形成する第２の部分７２を有する。そして、第２の部分７２と反対側の第１の空間３１の深さが第２の部分７２側の第１の空間３１の深さよりも深くなるように、第１の部分７１がフィンの延伸方向Ｘに対して斜めに設けられる。【選択図】図９
2012028894.tif 000002
【特許請求の範囲】
【請求項１】
フィルタと、
電気部品と、
底面部および側面部を有し、前記フィルタおよび前記電気部品を収納するための筐体と、
前記筐体の底面部に設けられ、前記底面部の外側に、前記底面部に沿って一の方向に延伸するように突設された複数のフィンを含むフィン部とを備える無線通信装置であって、
前記底面部および前記側面部は、前記フィルタを収納するための第１の空間、および前記フィンの延伸方向に前記第１の空間と並んで位置し、前記第１の空間より浅く、前記電気部品を収納するための第２の空間を形成し、
前記底面部は、前記第１の空間を形成する第１の部分および前記第２の空間を形成する第２の部分を有し、
前記第２の部分と反対側の前記第１の空間の深さが前記第２の部分側の前記第１の空間の深さよりも深くなるように、前記第１の部分が前記フィンの延伸方向に対して斜めに設けられる、無線通信装置。
【請求項２】
前記第１の部分側の前記第２の空間の深さが前記第１の部分と反対側の前記第２の空間の深さよりも深くなるように、前記第２の部分が前記フィンの延伸方向に対して斜めに設けられる、請求項１に記載の無線通信装置。
【請求項３】
前記フィンの延伸方向に対する前記第２の部分の角度は、前記フィンの延伸方向に対する前記第１の部分の角度よりも小さい、請求項２に記載の無線通信装置。
【請求項４】
前記底面部は、前記第１の部分と前記第２の部分とを接続し、前記フィンの延伸方向に対する角度が前記フィンの延伸方向に対する前記第１の部分の角度よりも大きい第３の部分を有する、請求項１から３のいずれか１項に記載の無線通信装置。
【請求項５】
前記無線通信装置は、さらに、
前記第２の部分と反対側の前記第１の部分の端部から延伸する前記筐体の側面部を貫通するように取り付けられ、前記フィルタから出力される信号を前記筐体の外部へ伝達するか、前記筐体の外部からの信号を前記フィルタへ伝達するための第１のコネクタを備え、
前記第１のコネクタは、前記フィルタと一体化されている、請求項１から４のいずれか１項に記載の無線通信装置。
【請求項６】
前記フィルタは、上面、前記筐体の底面部に対向する下面、および側面を有し、
前記第１のコネクタは、延伸方向が前記下面に対して斜めに、かつ前記下面から離れる方向で前記側面に設けられる、請求項５に記載の無線通信装置。
【請求項７】
前記筐体の側面部は、前記筐体の底面部に対して略直角に設けられ、
前記フィルタの前記下面に対する前記第１のコネクタの延伸方向の角度は、前記フィンの延伸方向に対する前記第１の部分の角度と略等しい、請求項６に記載の無線通信装置。
【請求項８】
前記フィルタは、上面、前記筐体の底面部に対向する下面、および側面を有し、
前記無線通信装置は、さらに、
前記フィルタと一体化され、前記フィルタから出力される信号を前記電気部品へ伝達するか、信号を前記電気部品から受けて前記フィルタへ伝達するための第２のコネクタを備え、
前記第２のコネクタは、延伸方向が前記下面に対して斜めに、かつ前記下面へ近づく方向で前記側面に設けられる、請求項１から７のいずれか１項に記載の無線通信装置。
【請求項９】
前記下面に対する前記第２のコネクタの延伸方向の角度は、前記フィンの延伸方向に対する前記第１の部分の角度と前記フィンの延伸方向に対する前記第２の部分の角度との差に略等しい、請求項８に記載の無線通信装置。
【請求項１０】
前記電気部品は、受けた信号を増幅して前記フィルタへ出力するためのアンプである、請求項１から９のいずれか１項に記載の無線通信装置。
【請求項１１】
無線通信装置に用いられるフィルタであって、
前記無線通信装置は、
前記フィルタと、
電気部品と、
底面部および側面部を有し、前記フィルタおよび前記電気部品を収納するための筐体と、
前記筐体の底面部に設けられ、前記底面部の外側に、前記底面部に沿って一の方向に延伸するように突設された複数のフィンを含むフィン部とを備え、
前記底面部および前記側面部は、前記フィルタを収納するための第１の空間、および前記フィンの延伸方向に前記第１の空間と並んで位置し、前記第１の空間より浅く、前記電気部品を収納するための第２の空間を形成し、
前記フィルタは、上面、前記筐体の底面部に対向する下面、および側面を有し、前記フィルタから出力される信号を前記筐体の外部へ伝達するか、前記筐体の外部からの信号を前記フィルタへ伝達するためのコネクタを含み、
前記コネクタは、延伸方向が前記下面に対して斜めに、かつ前記下面から離れる方向で前記側面に設けられる、フィルタ。
【発明の詳細な説明】
【技術分野】
【０００１】
本発明は、無線通信装置およびフィルタに関し、特に、放熱用のフィンを備えた無線通信装置、およびこの無線通信装置が備えるフィルタに関する。
【背景技術】
【０００２】
移動体通信において用いられる無線基地局装置から、無線信号の送受信を行なう部分を独立させたリモートラジオヘッド（ＲＲＨ）が開発されている。このリモートラジオヘッドは、たとえば屋外に設置された既存のポールの上部に取り付けられ、防水機能および自然空冷機能を有し、小型かつ軽量であることが要求される。
【０００３】
このリモートラジオヘッドは、たとえば、送信信号を増幅するためのパワーアンプと、パワーアンプの出力信号から不要信号を除去するための送信フィルタと、放熱用のフィンと、パワーアンプおよび送信フィルタ等を収納するための筐体とを備える。
【０００４】
ここで、移動体通信システムにおける無線基地局装置で用いられる送信フィルタの一例として、たとえば、特許第３８６６７１６号公報（特許文献１）には、マイクロストリップライン共振器が開示され、また、特許第４１５０３９９号公報（特許文献２）には、誘電体を備えた空洞共振器が開示されている。
【先行技術文献】
【特許文献】
【０００５】
【特許文献１】特許第３８６６７１６号公報
【特許文献２】特許第４１５０３９９号公報
【発明の概要】
【発明が解決しようとする課題】
【０００６】
ところで、送信フィルタはパワーアンプと比べて厚みがある場合が多く、この送信フィルタによってリモートラジオヘッドの厚みが増しやすい。一方、リモートラジオヘッドの厚みを減らすためにフィンの面積を小さくすると、放熱性能が低下してしまう。
【０００７】
しかしながら、特許文献１および２には、このような問題点を解決するための構成は開示されていない。
【０００８】
この発明は、上述の課題を解決するためになされたもので、その目的は、無線通信装置の小型化を図り、かつ放熱性能の低下を防ぐことが可能な無線通信装置およびフィルタを提供することである。
【課題を解決するための手段】
【０００９】
（１）上記課題を解決するために、この発明のある局面に係わる無線通信装置は、フィルタと、電気部品と、底面部および側面部を有し、上記フィルタおよび上記電気部品を収納するための筐体と、上記筐体の底面部に設けられ、上記底面部の外側に、上記底面部に沿って一の方向に延伸するように突設された複数のフィンを含むフィン部とを備える無線通信装置であって、上記底面部および上記側面部は、上記フィルタを収納するための第１の空間、および上記フィンの延伸方向に上記第１の空間と並んで位置し、上記第１の空間より浅く、上記電気部品を収納するための第２の空間を形成し、上記底面部は、上記第１の空間を形成する第１の部分および上記第２の空間を形成する第２の部分を有し、上記第２の部分と反対側の上記第１の空間の深さが上記第２の部分側の上記第１の空間の深さよりも深くなるように、上記第１の部分が上記フィンの延伸方向に対して斜めに設けられる。
【００１０】
このような構成により、第１の空間を浅くすることができるため、フィン部の面積を大きくすることができる。また、フィンの延伸方向において第２の部分を長くすることができるため、電気部品とフィン部との熱伝導的な接触面積を広くすることができる。したがって、無線通信装置の小型化を図り、かつ放熱性能の低下を防ぐことができる。
【００１１】
（２）好ましくは、上記第１の部分側の上記第２の空間の深さが上記第１の部分と反対側の上記第２の空間の深さよりも深くなるように、上記第２の部分が上記フィンの延伸方向に対して斜めに設けられる。
【００１２】
このような構成により、フィンの延伸方向において第２の部分をさらに長くすることができるため、電気部品とフィン部との熱伝導的な接触面積をさらに広くすることができる。したがって、放熱性能をさらに向上させることができる。
【００１３】
（３）より好ましくは、上記フィンの延伸方向に対する上記第２の部分の角度は、上記フィンの延伸方向に対する上記第１の部分の角度よりも小さい。
【００１４】
このような構成により、フィンの延伸方向に対する第２の部分の角度をフィンの延伸方向に対する第１の部分の角度と等しく設定する場合と比べて、第２の空間が浅くなることで、第２の部分に対応するフィン部の面積を大きくすることができるため、放熱性能をさらに向上させることができる。
【００１５】
（４）好ましくは、上記底面部は、上記第１の部分と上記第２の部分とを接続し、上記フィンの延伸方向に対する角度が上記フィンの延伸方向に対する上記第１の部分の角度よりも大きい第３の部分を有する。
【００１６】
このような構成により、第１の空間を浅くしながら、第２の空間が深くなることを防ぐことができるため、フィン部の面積を大きくすることができ、放熱性能をさらに向上させることができる。
【００１７】
（５）好ましくは、上記無線通信装置は、さらに、上記第２の部分と反対側の上記第１の部分の端部から延伸する上記筐体の側面部を貫通するように取り付けられ、上記フィルタから出力される信号を上記筐体の外部へ伝達するか、上記筐体の外部からの信号を上記フィルタへ伝達するための第１のコネクタを備え、上記第１のコネクタは、上記フィルタと一体化されている。
【００１８】
このように、第１のコネクタをフィルタと一体化させることにより、たとえば筐体に取り付けられる第１のコネクタと、フィルタとを接続するためのケーブルが不要となるため、製造コストを低減し、かつ信号の通過ロスを低減することができる。
【００１９】
（６）より好ましくは、上記フィルタは、上面、上記筐体の底面部に対向する下面、および側面を有し、上記第１のコネクタは、延伸方向が上記下面に対して斜めに、かつ上記下面から離れる方向で上記側面に設けられる。
【００２０】
このような構成により、第１のコネクタを筐体の側面部の内側から外側へ容易に通し、フィルタを取り付けることができる。
【００２１】
（７）より好ましくは、上記筐体の側面部は、上記筐体の底面部に対して略直角に設けられ、上記フィルタの上記下面に対する上記第１のコネクタの延伸方向の角度は、上記フィンの延伸方向に対する上記第１の部分の角度と略等しい。
【００２２】
これにより、コネクタと筐体の側面部とが直角になるようにするために筐体の側面部を底面部に対して斜めに形成する必要が無くなる。すなわち、筐体の側面部が、筐体の底面部に対して略直角に設けられる構成のままで、コネクタを筐体の側面部に対して直角になるように取り付けることができる。また、リモートラジオヘッドが屋外に設置された状態において、コネクタが筐体の下部に隠れるようにすることができるため、防水性能を向上させることができる。
【００２３】
（８）好ましくは、上記フィルタは、上面、上記筐体の底面部に対向する下面、および側面を有し、上記無線通信装置は、さらに、上記フィルタと一体化され、上記フィルタから出力される信号を上記電気部品へ伝達するか、信号を上記電気部品から受けて上記フィルタへ伝達するための第２のコネクタを備え、上記第２のコネクタは、延伸方向が上記下面に対して斜めに、かつ上記下面へ近づく方向で上記側面に設けられる。
【００２４】
このような構成により、第１のコネクタおよび第２のコネクタの接続作業を容易化することができる。
【００２５】
（９）より好ましくは、上記下面に対する上記第２のコネクタの延伸方向の角度は、上記フィンの延伸方向に対する上記第１の部分の角度と上記フィンの延伸方向に対する上記第２の部分の角度との差に略等しい。
【００２６】
このような構成により、フィルタと電気部品とをコネクタで直接接続することができる。これにより、フィルタと電気部品とを接続するためのケーブルが不要となり、製造コストを低減し、かつ信号の通過ロスを低減することができる。
【００２７】
（１０）好ましくは、上記電気部品は、受けた信号を増幅して上記フィルタへ出力するためのアンプである。
【００２８】
このように、第２の空間においてアンプを設置する構成により、無線通信装置において特に高温となる電気部品に対する放熱性能を向上させることが可能となる。
【００２９】
（１１）上記課題を解決するために、この発明のある局面に係わるフィルタは、無線通信装置に用いられるフィルタであって、上記無線通信装置は、上記フィルタと、電気部品と、底面部および側面部を有し、上記フィルタおよび上記電気部品を収納するための筐体と、上記筐体の底面部に設けられ、上記底面部の外側に、上記底面部に沿って一の方向に延伸するように突設された複数のフィンを含むフィン部とを備え、上記底面部および上記側面部は、上記フィルタを収納するための第１の空間、および上記フィンの延伸方向に上記第１の空間と並んで位置し、上記第１の空間より浅く、上記電気部品を収納するための第２の空間を形成し、上記フィルタは、上面、上記筐体の底面部に対向する下面、および側面を有し、上記フィルタから出力される信号を上記筐体の外部へ伝達するか、上記筐体の外部からの信号を上記フィルタへ伝達するためのコネクタを含み、上記コネクタは、延伸方向が上記下面に対して斜めに、かつ上記下面から離れる方向で上記側面に設けられる。
【００３０】
このような構成により、無線通信装置の小型化を図り、かつ放熱性能の低下を防ぐことができる。また、コネクタを筐体の側面部の内側から外側へ容易に通し、フィルタを取り付けることができる。
【発明の効果】
【００３１】
本発明によれば、無線通信装置の小型化を図り、かつ放熱性能の低下を防ぐことができる。
【図面の簡単な説明】
【００３２】
【図１】本発明の第１の実施の形態に係る無線基地局装置の構成を示す図である。
【図２】本発明の第１の実施の形態に係るリモートラジオヘッドの機能ブロック図である。
【図３】本発明の第１の実施の形態に係るリモートラジオヘッドの比較例の構造を示す図である。
【図４】本発明の第１の実施の形態に係るリモートラジオヘッドの比較例における筐体５５の構成を概略的に示す図である。
【図５】図３に示す比較例の課題を説明するための図である。
【図６】図３に示す比較例の課題を説明するための図である。
【図７】図３に示す比較例の課題を説明するための図である。
【図８】図３に示す比較例の課題を説明するための図である。
【図９】本発明の第１の実施の形態に係るリモートラジオヘッドの構造を示す図である。
【図１０】本発明の第１の実施の形態に係るリモートラジオヘッドにおける筐体の底面部において接続部分を設けないと仮定した場合と、本発明の第１の実施の形態に係るリモートラジオヘッドとを比較するための図である。
【図１１】本発明の第１の実施の形態に係るフィルタユニットの構成を示す図である。
【図１２】本発明の第１の実施の形態に係るリモートラジオヘッドにおいて、フィルタユニット５１を取り付ける様子を時系列的に示す図である。
【図１３】本発明の第１の実施の形態に係るリモートラジオヘッドにおいて、フィルタユニット５１を取り付ける様子を時系列的に示す図である。
【図１４】本発明の第１の実施の形態に係るリモートラジオヘッドにおいて、フィルタユニット５１を取り付ける様子を時系列的に示す図である。
【図１５】図１２〜図１４の各状態をまとめて示す図である。
【図１６】本発明の第２の実施の形態に係るリモートラジオヘッドの構造を示す図である。
【図１７】本発明の第２の実施の形態に係るリモートラジオヘッドと、本発明の第１の実施の形態に係るリモートラジオヘッドとを比較するための図である。
【図１８】図３に示す比較例の課題を説明するための図である。図１８は、図３における筐体５５側の部分を示している。
【図１９】本発明の第２の実施の形態に係るリモートラジオヘッドにおいて、フィルタユニットおよびパワーアンプユニットを取り付けた状態を示す図である。
【図２０】本発明の第２の実施の形態に係るリモートラジオヘッドにおいて、フィルタユニット５１を取り付ける様子を時系列的に示す図である。
【図２１】本発明の第２の実施の形態に係るリモートラジオヘッドにおいて、フィルタユニット５１を取り付ける様子を時系列的に示す図である。
【図２２】本発明の第２の実施の形態に係るリモートラジオヘッドにおいて、フィルタユニット５１を取り付ける様子を時系列的に示す図である。
【図２３】図２０〜図２２の各状態をまとめて示す図である。
【図２４】本発明の第３の実施の形態に係るフィルタユニットの構成を示す図である。
【図２５】本発明の第３の実施の形態に係るリモートラジオヘッドにおいて、フィルタユニットおよびパワーアンプユニットを取り付けた状態を示す図である。
【発明を実施するための形態】
【００３３】
以下、本発明の実施の形態について図面を用いて説明する。なお、図中同一または相当部分には同一符号を付してその説明は繰り返さない。
【００３４】
＜第１の実施の形態＞
図１は、本発明の第１の実施の形態に係る無線基地局装置の構成を示す図である。
【００３５】
図１を参照して、無線基地局装置（無線通信装置）２０１は、１または複数のリモートラジオヘッド１０１と、本体装置１０２とを備える。
【００３６】
リモートラジオヘッド１０１は、ビルの屋上等に設置されたアンテナポール１０４に取り付けられる。また、このアンテナポール１０４にアンテナ１０３が取り付けられる。
【００３７】
リモートラジオヘッド１０１は、アンテナ１０３経由で無線端末装置３０１から受信した無線信号をデジタル信号に変換し、光ファイバ１０５経由で本体装置１０２へ出力する。また、リモートラジオヘッド１０１は、光ファイバ１０５経由で本体装置１０２から受けたデジタル信号を無線信号に変換し、アンテナ１０３経由で無線端末装置３０１へ送信する。
【００３８】
図２は、本発明の第１の実施の形態に係るリモートラジオヘッドの機能ブロック図である。
【００３９】
図２を参照して、リモートラジオヘッド１０１は、信号処理部８１と、無線送信部１と、無線受信部２と、送信信号測定部３と、送信フィルタ８６とを備える。無線送信部１は、デジタル／アナログ変換器（ＤＡＣ）８２と、変調器８３と、ドライバアンプ８４と、パワーアンプ８５と、発振器８７と、カプラ８８とを含む。無線受信部２は、受信アンプ８９，９０と、ミキサ９１と、ＢＰＦ（Band Pass Filter）９２と、アナログ／デジタル変換器（ＡＤＣ）９３と、発振器９４とを含む。送信信号測定部３は、ミキサ９５と、ＢＰＦ９６と、アナログ／デジタル変換器（ＡＤＣ）９７と、発振器９８とを含む。信号処理部８１は、たとえばＤＳＰ（Digital Signal Processor）である。
【００４０】
信号処理部８１は、光ファイバ１０５経由で本体装置１０２から受けたデジタル信号に対して信号処理を行い、無線送信部１へ出力する。
【００４１】
無線送信部１は、信号処理部８１から受けたデジタル信号をアナログ信号に変換し、変換したアナログ信号を無線信号すなわちＲＦ（Radio Frequency）帯の信号に変換して無線端末装置３０１へ送信する。
【００４２】
無線受信部２は、無線端末装置３０１から無線信号を受信してＩＦ（Intermediate Frequency）信号に変換し、変換したＩＦ信号をデジタル信号に変換して信号処理部８１へ出力する。
【００４３】
信号処理部８１は、無線受信部２から受けたデジタル信号に対して種々の信号処理を行い、光ファイバ１０５経由で本体装置１０２へ出力する。
【００４４】
送信信号測定部３は、無線送信部１から受けた無線信号を中間周波帯のデジタル信号に変換して信号処理部８１へ出力する。
【００４５】
より詳細には、デジタル／アナログ変換器８２は、信号処理部８１から受けたデジタル信号をアナログ信号に変換し、変調器８３へ出力する。
【００４６】
発振器８７は、局部発振信号を生成して変調器８３へ出力する。変調器８３は、デジタル／アナログ変換器８２から受けたベースバンドのアナログ信号と発振器８７から受けた局部発振信号とを乗算することにより、デジタル／アナログ変換器８２から受けたアナログ信号をたとえば直交変調して無線信号に変換し、ドライバアンプ８４へ出力する。
【００４７】
ドライバアンプ８４は、変調器８３から受けた無線信号を増幅し、パワーアンプ８５へ出力する。
【００４８】
パワーアンプ８５は、ドライバアンプ８４から受けた無線信号をさらに増幅し、カプラ８８へ出力する。
【００４９】
カプラ８８は、パワーアンプ８５から受けた無線信号を分岐して出力する。カプラ８８によって分岐された一方の無線信号は、送信フィルタ８６およびアンテナ１０３を介して無線端末装置３０１へ送信される。また、カプラ８８によって分岐された他方の無線信号は、送信信号測定部３におけるミキサ９５へ出力される。ここで、カプラ８８からミキサ９５へ出力される無線信号の電力は、カプラ８８から送信フィルタ８６へ出力される無線信号の電力と比べてかなり小さくなるように、カプラ８８における結合度が設定される。
【００５０】
発振器９８は、局部発振信号を生成してミキサ９５へ出力する。ミキサ９５は、カプラ８８から受けた無線信号と発振器９８から受けた局部発振信号とを乗算することにより、カプラ８８から受けた無線信号をＩＦ信号に周波数変換し、バンドパスフィルタ９６へ出力する。
【００５１】
バンドパスフィルタ９６は、ミキサ９５から受けたＩＦ信号の周波数成分のうち、所定の周波数帯域外の成分を減衰させた信号をアナログ／デジタル変換器９７へ出力する。
【００５２】
アナログ／デジタル変換器９７は、バンドパスフィルタ９６から受けたＩＦ信号をデジタル信号に変換し、信号処理部８１へ出力する。このデジタル信号が、無線送信部１から出力される送信無線信号の測定結果を示している。
【００５３】
信号処理部８１は、アナログ／デジタル変換器９７から受けたデジタル信号に基づいて、本体装置１０２から受けたデジタル信号を補正し、デジタル／アナログ変換器８２へ出力する。より詳細には、信号処理部８１は、たとえば、無線送信部１から受けたデジタル信号が示す送信無線信号の測定結果から、当該送信無線信号の変調帯域外の成分すなわちサイドローブを測定し、このサイドローブが所定レベル以下になるようにデジタル信号を補正する。
【００５４】
送信フィルタ８６は、カプラ８８経由でパワーアンプ８５から受けた無線信号から不要信号を除去してアンテナ１０３へ出力する。また、送信フィルタ８６は、アンテナ１０３から受けた無線信号のノイズを除去して受信アンプ８９へ出力する。送信フィルタ８６は、たとえばバンドパスフィルタであり、受けた無線信号の周波数成分のうち、所定の周波数帯域外の成分を減衰させた信号を出力する。
【００５５】
受信アンプ８９は、たとえばＬＮＡ（Low Noise Amplifier）であり、アンテナ１０３および送信フィルタ８６を介して無線端末装置３０１から無線信号を受信し、受信した無線信号を増幅して受信アンプ９０へ出力する。
【００５６】
受信アンプ９０は、たとえばＬＮＡであり、受信アンプ８９から受けた無線信号をさらに増幅してミキサ９１へ出力する。
【００５７】
発振器９４は、局部発振信号を生成してミキサ９１へ出力する。ミキサ９１は、受信アンプ９０から受けた無線信号と発振器９４から受けた局部発振信号とを乗算することにより、受信アンプ９０から受けた無線信号をＩＦ信号に変換し、バンドパスフィルタ９２へ出力する。
【００５８】
バンドパスフィルタ９２は、ミキサ９１から受けたＩＦ信号の周波数成分のうち、所定の周波数帯域外の成分を減衰させた信号をアナログ／デジタル変換器９３へ出力する。
【００５９】
アナログ／デジタル変換器９３は、バンドパスフィルタ９２から受けたＩＦ信号をデジタル信号に変換し、信号処理部８１へ出力する。
【００６０】
信号処理部８１は、アナログ／デジタル変換器９３から受けたＩＦ帯のデジタル信号をたとえば直交復調してベースバンドのデジタル信号に変換し、光ファイバ１０５経由で本体装置１０２へ出力する。
【００６１】
図３は、本発明の第１の実施の形態に係るリモートラジオヘッドの比較例の構造を示す図である。
【００６２】
図３を参照して、リモートラジオヘッド１００は、フィルタユニット５１と、パワーアンプユニット５２と、筐体５５，５６と、フィン部５３，５４とを備える。フィルタユニット５１は、図２に示す送信フィルタ８６を含む。パワーアンプユニット５２は、図２に示すドライバアンプ８４と、パワーアンプ８５とを含む。
【００６３】
筐体５５は、底面部ＳＢおよび４つの側面部Ｓ１〜Ｓ４を有し、上方が開放された箱形の形状を有する。同様に、筐体５６は、底面部Ｓ１１および４つの側面部を有し、上方が開放された箱形の形状を有する。たとえば、筐体５５の側面部Ｓ１〜Ｓ４は、筐体５５の底面部ＳＢに対して略直角に設けられている。また、筐体５６の４つの側面部は、筐体５６の底面部Ｓ１１に対して略直角に設けられている。
【００６４】
筐体５５，５６の内部には基板および各種部品が取り付けられている。フィルタユニット５１およびパワーアンプユニット５２は筐体５５の底面部ＳＢに取り付けられ、筐体５５に収納される。
【００６５】
筐体５５，５６の開放部側が互いに対向するように筐体５５，５６が組み合わされることにより、基板および各種部品がリモートラジオヘッド１００の内部に密閉される。
【００６６】
図４は、本発明の第１の実施の形態に係るリモートラジオヘッドの比較例における筐体５５の構成を概略的に示す図である。図４は、筐体５５の底面部ＳＢを開放部側から見た状態を示している。なお、図３は、リモートラジオヘッドの図４におけるＩＩＩ−ＩＩＩ線に沿った断面を示している。
【００６７】
図４を参照して、筐体５５の側面部Ｓ１と側面部Ｓ３とが互いに対向し、側面部Ｓ２と側面部Ｓ４とが互いに対向している。底面部ＳＢは、フィルタユニット５１が配置されるフィルタ設置部分７１と、パワーアンプユニット５２が配置されるアンプ設置部分７２と、フィルタ設置部分７１およびアンプ設置部分７２の接続部分７３とを有する。フィルタ設置部分７１は、たとえば略矩形状であり、側面部Ｓ３に接続される第１辺と、この第１辺に対向し、接続部分７３に接続される第２辺と、側面部Ｓ２に接続される第３辺と、側面部Ｓ４に接続される第４辺とを有する。アンプ設置部分７２は、たとえば略矩形状であり、側面部Ｓ１に接続される第１辺と、この第１辺に対向し、接続部分７３に接続される第２辺と、側面部Ｓ２に接続される第３辺と、側面部Ｓ４に接続される第４辺とを有する。接続部分７３は、たとえば略矩形状であり、フィルタ設置部分７１に接続される第１辺と、この第１辺に対向し、アンプ設置部分７２に接続される第２辺と、側面部Ｓ２に接続される第３辺と、側面部Ｓ４に接続される第４辺とを有する。
【００６８】
再び図３を参照して、リモートラジオヘッド１００は、リモートラジオヘッド１００がアンテナポール１０４に設置された状態における天側および地側を考えると、パワーアンプユニット５２が天側Ａ、フィルタユニット５１が地側Ｂになるように、筐体５６の底面部Ｓ１１と略平行なフィン部５４のアウトラインを設置面として、アンテナポール１０４に取り付けられる。
【００６９】
フィルタユニット５１は、たとえば、上面、筐体５５の底面部ＳＢに対向する下面、および４つの側面を有する略直方体状である。また、パワーアンプユニット５２は、たとえば、上面、筐体５５の底面部ＳＢに対向する下面、および４つの側面を有する略直方体状である。
【００７０】
コネクタ４１は、アンプ設置部分７２と反対側のフィルタ設置部分７１の端部すなわち第１辺から延伸する筐体５５の側面部Ｓ３を貫通するように取り付けられ、フィルタユニット５１から出力される信号を筐体５５の外部へ伝達するか、筐体５５の外部からの信号をフィルタユニット５１へ伝達する。コネクタ４２は、フィルタユニット５１から出力される信号をパワーアンプユニット５２へ伝達するか、信号をパワーアンプユニット５２から受けてフィルタユニット５１へ伝達する。
【００７１】
コネクタ４１および４２は、フィルタユニット５１と一体化されている。コネクタ４１をフィルタユニット５１と一体化させることにより、たとえば筐体５５に取り付けられるコネクタ４１と、フィルタユニット５１とを接続するためのケーブルが不要となり、製造コストを低減し、かつ信号の通過ロスを低減することができる。
【００７２】
また、コネクタ４１は、筐体５５の側面部Ｓ３との間にパッキンを挿入して防水構造を確保するために、筐体５５の側面部Ｓ３に対して直角になるように取り付けられる。これにより、コネクタ４１の取り付けを容易にし、施工性を向上させることができる。
【００７３】
コネクタ４３は、パワーアンプユニット５２から出力される信号をフィルタユニット５１へ伝達する。コネクタ４３は、パワーアンプユニット５２と一体化されている。
【００７４】
フィルタユニット５１のコネクタ４２とパワーアンプユニット５２のコネクタ４３とは、ケーブルを介して接続されている。
【００７５】
フィン部５３は、筐体５５の底面部ＳＢにおいて、筐体５５の開放部の反対側に設けられている。すなわち、フィン部５３は、筐体５５の底面部ＳＢに設けられ、底面部ＳＢの外側、すなわち底面部ＳＢに対してフィルタユニット５１およびパワーアンプユニット５２の反対側に設けられている。
【００７６】
フィン部５４は、筐体５６の底面部Ｓ１１において、筐体５５の開放部の反対側に取り付けられている。すなわち、フィン部５４は、筐体５６の底面部Ｓ１１に設けられ、底面部Ｓ１１の外側、すなわち底面部Ｓ１１に対してフィルタユニット５１およびパワーアンプユニット５２の反対側に設けられている。
【００７７】
筐体５５の底面部ＳＢおよび筐体５６の底面部Ｓ１１は、フィン部５３および５４にそれぞれ接触している。
【００７８】
フィルタユニット５１およびパワーアンプユニット５２は、筐体５５の底面部ＳＢを介してフィン部５３と接続されている、すなわち熱伝導的に接触している。これにより、フィルタユニット５１およびパワーアンプユニット５２で発生した熱の大半が、筐体５５の底面部ＳＢを介してフィン部５３へ伝わる。
【００７９】
より詳細には、フィルタユニット５１からの熱がフィルタ設置部分７１を介してフィン部５３へ伝わり、パワーアンプユニット５２からの熱がアンプ設置部分７２を介してフィン部５３へ伝わる。
【００８０】
フィン部５３および５４は、それぞれ筐体５５の底面部ＳＢおよび筐体５６の底面部１１の外側に、筐体５５の底面部ＳＢおよび筐体５６の底面部１１に沿って一の方向に延伸するように突設された複数のフィンを有し、リモートラジオヘッド１００の内部において発生した熱を放熱する。リモートラジオヘッド１００がアンテナポール１０４に設置された状態において、フィン部５３および５４の各フィンによって形成される流路による空気の流れ方向は、フィンの延伸方向Ｘとなる。フィンの延伸方向Ｘは、リモートラジオヘッド１００がアンテナポール１０４に設置された状態における天地方向に対応している。
【００８１】
フィルタ設置部分７１およびアンプ設置部分７２は、フィンの延伸方向Ｘ（以下、単に方向Ｘとも称する。）に対して略平行に設けられる。
【００８２】
接続部分７３は、方向Ｘに対して斜めに、すなわち筐体５５の開口面（開放面）に対して斜めに設けられる。これにより、接続部分７３を方向Ｘに対して直角に設ける構造と比べて、フィン部５３の面積を確保し、かつ製造を容易にしている。
【００８３】
ここで、フィルタユニット５１には、以下のような要求がある。すなわち、フィルタユニット５１と筐体５５の側面部Ｓ３との間にケーブルを設ける必要を無くし、また、施工コストを低減するため、筐体５５内部からコネクタ４１を突き出す必要がある。また、コネクタ４１の取り付け後、リモートラジオヘッド１００の外部からコネクタ４１にケーブルを接続する際の作業性向上、およびリモートラジオヘッド１００の防水構造を確保するための防水テープをコネクタ４１に巻くために、首の長いコネクタ４１が必要となる。
【００８４】
また、パワーアンプユニット５２には、以下のような要求がある。すなわち、放熱性能を向上させるために、パワーアンプユニット５２を、フィン部５３に対して可能な限り広く熱伝導的に接触させる必要がある。
【００８５】
また、フィン部５３，５４には、以下のような要求がある。すなわち、自然空冷による放熱性能を実現するためには、各フィンの面積を広くする必要がある。特に、リモートラジオヘッド１００では、フィンの延伸方向Ｘではなく、フィンの延伸方向Ｘと略直角な方向の面積が問題となる。
【００８６】
図５〜図８は、図３に示す比較例の課題を説明するための図である。図５〜図７は、フィルタユニット５１を取り付ける様子を時系列的に示している。図８は、図５〜図７の各状態をまとめて示している。また、図５〜図８は、図３における筐体５５側の部分を示している。
【００８７】
図５〜図８を参照して、フィルタユニット５１は、たとえば空洞共振器を含み、その厚さは、通過させる信号の周波数に応じて決まる。通常、フィルタユニット５１はパワーアンプユニット５２よりも厚くなることから、リモートラジオヘッド１００の小型化を図るために、たとえば発熱量の少ないフィルタユニット５１については、その配置部分と熱伝導的に接触するフィン部５３の厚みを薄くしてその分筐体５５を深くする。これにより、リモートラジオヘッド１００の幅が大きくならないようにする。
【００８８】
ここで、筐体５５の上記深くした部分にフィルタユニット５１を取り付け可能とするために、すなわちフィルタユニット５１のコネクタ４１を筐体５５の側面部Ｓ３の内側から外側へ通すために、フィン部５３の厚みを薄くする部分（図５〜図８のＣ１）を余分に設ける必要が生じる。このため、フィン部５３の面積が低減し、放熱性能が低下してしまう。
【００８９】
そこで、本発明の第１の実施の形態に係るリモートラジオヘッドでは、以下のような構造を採用することにより、上記課題を解決する。
【００９０】
図９は、本発明の第１の実施の形態に係るリモートラジオヘッドの構造を示す図である。図９は、図３における筐体５５側の部分に対応する部分を示している。リモートラジオヘッド１０１の構成は、以下で説明する内容以外はリモートラジオヘッド１００と同様である。
【００９１】
図９を参照して、底面部ＳＢおよび側面部Ｓ１〜Ｓ４は、フィルタユニット５１を収納するための空間３１を形成する。また、底面部ＳＢおよび側面部Ｓ１〜Ｓ４は、フィンの延伸方向Ｘに空間３１と並んで位置し、空間３１より浅く、パワーアンプユニット５２を収納するための空間３２を形成する。
【００９２】
底面部ＳＢは、空間３１を形成するフィルタ設置部分７１、および空間３２を形成するアンプ設置部分７２を有する。フィルタ設置部分７１によって形成される空間３１とアンプ設置部分７２によって形成される空間３２とは、たとえば連接している。
【００９３】
また、アンプ設置部分７２と反対側の空間３１の深さがアンプ設置部分７２側の空間３１の深さよりも深くなるように、フィルタ設置部分７１がフィンの延伸方向Ｘに対して斜めに設けられる。ここで、θは、フィンの延伸方向Ｘに対するフィルタ設置部分７１の角度である。
【００９４】
このような構成により、図９のＣ３で示すように、フィルタ設置部分７１とアンプ設置部分７２との段差部分すなわち接続部分７３を低くして、空間３１を浅くすることができるため、フィン部５３の面積を大きくすることができる。より詳細には、図３に示すリモートラジオヘッド１００と比べて、フィルタ設置部分７１による空間３１が浅くなることによってフィン部５３が面積ＡＲ１１分大きくなり、フィン部５３の面積を大きくすることができる。
【００９５】
また、図３に示すリモートラジオヘッド１００と比べて、フィルタ設置部分７１とアンプ設置部分７２との段差部分すなわち接続部分７３が低くなり、フィルタユニット５１を取り付けやすくなるため、延伸方向Ｘにおいてアンプ設置部分７２を長くすることができる。これにより、アンプ設置部分７２に対応するフィン部５３の面積すなわちアンプ設置部分７２と熱伝導的に接触するフィン部５３の面積を大きくすることができるため、リモートラジオヘッド１０１の放熱性能を向上させることができる。
【００９６】
図１０は、本発明の第１の実施の形態に係るリモートラジオヘッドにおける筐体の底面部において接続部分を設けないと仮定した場合と、本発明の第１の実施の形態に係るリモートラジオヘッドとを比較するための図である。
【００９７】
図１０を参照して、底面部ＳＢに接続部分７３を設けない場合には、側面部Ｓ３から側面部Ｓ１まで、底面部ＳＢが方向Ｘに対して角度θで真っ直ぐに延伸する。この場合、たとえばアンプ設置部分７２の側面部Ｓ１側の端部が図１０に示すような位置に設けられると、空間３１が浅くなってフィン部５３が面積ＡＲ１１分大きくなる一方で、空間３２が深くなってフィン部５３が面積ＡＲ１３分小さくなり、面積ＡＲ１１＜面積ＡＲ１３であることから、全体としてフィン部５３の面積が小さくなる。
【００９８】
これに対して、本発明の第１の実施の形態に係るリモートラジオヘッドでは、底面部ＳＢは接続部分７３を有する。接続部分７３は、フィルタ設置部分７１とアンプ設置部分７２とを接続し、方向Ｘに対する角度が方向Ｘに対するフィルタ設置部分７１の角度よりも大きい。
【００９９】
このような構成により、空間３１を浅くしながら、空間３２が深くなることを防ぐことができるため、フィン部５３の面積を大きくすることができる。
【０１００】
したがって、本発明の第１の実施の形態に係るリモートラジオヘッドでは、図３に示すリモートラジオヘッド１００と比べて、放熱性能を大幅に向上させることができる。
【０１０１】
図１１は、本発明の第１の実施の形態に係るフィルタユニットの構成を示す図である。
図１１を参照して、フィルタユニット５１は、たとえば、上面６２、筐体５５の底面部ＳＢに対向する下面６１、および４つの側面６３を有する略直方体状である。
【０１０２】
フィルタユニット５１では、出力防水コネクタ４１は、角度θをつけてレイアウトされる。図１１では、一例としてθ＝５°である。
【０１０３】
すなわち、コネクタ４１は、延伸方向が下面６１に対して斜めに、かつ下面６１から離れる方向で側面６３に設けられる。そして、下面６１に対するコネクタ４１の延伸方向の角度は、フィンの延伸方向Ｘに対するフィルタ設置部分７１の角度θと略等しい。
【０１０４】
ここで、フィルタユニット５１は、たとえばアルミ製であり、コネクタ４１を上記のように傾けるように加工することは容易である。また、フィルタユニット５１は、たとえば空洞共振器であり、内部の誘電体フィルタとコネクタ４１とは導体線で接続されていることから、コネクタ４１を上記のように傾けても、特性への影響は無い。
【０１０５】
なお、コネクタ４１の角度は、θよりも大きい値に設定してもよい。また、コネクタ４１を筐体５５の側面部Ｓ３に対して直角になるように取り付けなくてもよい場合には、コネクタ４１の角度をマイナスの値に設定することも考えられる。
【０１０６】
図１２〜図１４は、本発明の第１の実施の形態に係るリモートラジオヘッドにおいて、フィルタユニット５１を取り付ける様子を時系列的に示す図である。図１５は、図１２〜図１４の各状態をまとめて示す図である。
【０１０７】
図１２〜図１５を参照して、フィルタユニット５１において図１１に示すような構造を採用する、すなわち、コネクタ４１を、延伸方向が下面６１に対して斜めに、かつ下面６１から離れる方向で側面６３に設ける構成により、図１２〜図１５のＣ４に示すように、フィルタ設置部分７１とアンプ設置部分７２との段差部分を低くしても、フィルタユニット５１のコネクタ４１を筐体５５の側面部Ｓ３の内側から外側へ容易に通し、フィルタユニット５１を取り付けることができる。
【０１０８】
また、図９に示すようにフィルタ設置部分７１の角度が方向Ｘに対して斜めである場合には、フィルタユニット５１において図１１に示すような構造を採用しないと、筐体５５の側面部Ｓ３との間にパッキンを設けて防水構造を確保するために、筐体５５の側面部Ｓ３を底面部ＳＢに対して斜めに形成し、コネクタ４１と筐体５５の側面部Ｓ３とが直角になるようにする必要が生じる。
【０１０９】
これに対して、本発明の第１の実施の形態に係るリモートラジオヘッドでは、フィルタユニット５１において図１１に示すような構造を採用する。すなわち、下面６１に対するコネクタ４１の延伸方向の角度を、フィンの延伸方向Ｘに対するフィルタ設置部分７１の角度θと略等しく設定する。これにより、筐体５５の側面部Ｓ３を底面部ＳＢに対して斜めに形成する必要が無くなり、筐体５５の側面部Ｓ３が、筐体５５の底面部ＳＢに対して略直角に設けられる構成のままで、コネクタ４１を筐体５５の側面部Ｓ３に対して直角になるように取り付けることができる。また、リモートラジオヘッド１０１が屋外に設置された状態において、コネクタ４１が筐体５５の下部に隠れるようにすることができるため、防水性能を向上させることができる。
【０１１０】
ところで、送信フィルタはパワーアンプと比べて厚みがある場合が多く、この送信フィルタによってリモートラジオヘッドの厚みが増しやすい。一方、リモートラジオヘッドの厚みを減らすためにフィンの面積を小さくすると、放熱性能が低下してしまう。
【０１１１】
たとえば、図３に示す構成では、リモートラジオヘッドの小型化を図るために、フィン部において、たとえば発熱量の少ないフィルタ配置部分と熱伝導的に接触するフィンの厚みを薄くしてその分筐体を深くし、リモートラジオヘッドの幅が大きくならないようにする。この場合、筐体の深くした上記部分に送信フィルタを取り付け可能とするために、筐体を深くしてフィン部の厚みを薄くする部分を余分に設ける必要が生じ、放熱性能が低下してしまう場合がある。
【０１１２】
これに対して、本発明の第１の実施の形態に係るリモートラジオヘッドでは、筐体５５の底面部ＳＢおよび側面部Ｓ１〜Ｓ４は、フィルタユニット５１を収納するための空間３１、およびフィンの延伸方向Ｘに空間３１と並んで位置し、空間３１より浅く、パワーアンプユニット５２を収納するための空間３２を形成する。底面部ＳＢは、空間３１を形成するフィルタ設置部分７１、および空間３２を形成するアンプ設置部分７２を有する。そして、アンプ設置部分７２と反対側の空間３１の深さがアンプ設置部分７２側の空間３１の深さよりも深くなるように、底面部ＳＢにおけるフィルタ設置部分７１がフィンの延伸方向Ｘに対して斜めに設けられる。
【０１１３】
このような構成により、フィルタ設置部分７１とアンプ設置部分７２との段差部分すなわち接続部分７３を低くして、空間３１を浅くすることができるため、フィン部５３の面積を大きくすることができる。また、フィルタユニット５１を取り付けやすくなるため、延伸方向Ｘにおいてアンプ設置部分７２を長くすることができ、アンプ設置部分７２と熱伝導的に接触するフィン部５３の面積を大きくすることができる。
【０１１４】
したがって、本発明の第１の実施の形態に係るリモートラジオヘッドでは、無線通信装置の小型化を図り、かつ放熱性能の低下を防ぐことができる。
【０１１５】
なお、本発明の第１の実施の形態に係るリモートラジオヘッドでは、空間３２においてパワーアンプユニット５２が設置される構成であるとしたが、これに限定するものではない。パワーアンプユニット５２に限らず、何らかの電気部品が設置される構成であればよい。空間３２に設置される電気部品としては、たとえば、電源等、動作させた場合にフィルタユニット５１よりも高い熱を発する電気部品が考えられる。
【０１１６】
ただし、空間３２においてパワーアンプユニット５２を設置する構成により、リモートラジオヘッド１０１において特に高温となる電気部品に対する放熱性能を向上させることが可能となる。
【０１１７】
また、本発明の第１の実施の形態に係るフィルタユニットは、本発明の第１の実施の形態に係るリモートラジオヘッドと同様に、無線通信装置の小型化を図り、かつ放熱性能の低下を防ぐという本発明の目的を達成することが可能である。
【０１１８】
この場合、フィルタユニット５１は、以下のようなリモートラジオヘッド１０１に備えられる。すなわち、リモートラジオヘッド１０１は、フィルタユニット５１と、パワーアンプユニット５２と、底面部ＳＢおよび側面部Ｓ１〜Ｓ４を有し、フィルタユニット５１およびパワーアンプユニット５２を収納するための筐体５５と、筐体５５の底面部ＳＢに設けられ、筐体５５の底面部ＳＢの外側に、筐体５５の底面部ＳＢに沿って一の方向に延伸するように突設された複数のフィンを含むフィン部５３とを備える。そして、底面部ＳＢおよび側面部Ｓ１〜Ｓ４は、フィルタユニット５１を収納するための空間３１、およびフィンの延伸方向Ｘに空間３１と並んで位置し、空間３１より浅く、パワーアンプユニット５２を収納するための空間３２を形成する。
【０１１９】
このようなリモートラジオヘッド１０１において、フィルタユニット５１は、上面６２、筐体５５の底面部ＳＢに対向する下面６１、および側面６３を有し、フィルタユニット５１から出力される信号を筐体５５の外部へ伝達するか、筐体５５の外部からの信号をフィルタユニット５１へ伝達するためのコネクタ４１を含む。そして、コネクタ４１は、延伸方向が下面６１に対して斜めに、かつ下面６１から離れる方向で側面６３に設けられる。
【０１２０】
次に、本発明の他の実施の形態について図面を用いて説明する。なお、図中同一または相当部分には同一符号を付してその説明は繰り返さない。
【０１２１】
＜第２の実施の形態＞
本実施の形態は、第１の実施の形態に係るリモートラジオヘッドと比べて筐体の底面部の形状を変更したリモートラジオヘッドに関する。以下で説明する内容以外は第１の実施の形態に係るリモートラジオヘッドと同様である。
【０１２２】
図１６は、本発明の第２の実施の形態に係るリモートラジオヘッドの構造を示す図である。
【０１２３】
図１６を参照して、フィルタ設置部分７１側の空間３２の深さがフィルタ設置部分７１と反対側の空間３２の深さよりも深くなるように、アンプ設置部分７２がフィンの延伸方向Ｘに対して斜めに設けられる。
【０１２４】
このような構成により、図１６のＣ５で示すように、フィルタ設置部分７１とアンプ設置部分７２との段差部分すなわち接続部分７３を低くして、空間３１を浅くすることができるため、フィン部５３の面積を大きくすることができる。より詳細には、図３に示すリモートラジオヘッド１００と比べて、空間３２が深くなることによってフィン部５３が面積ＡＲ２２分小さくなるが、空間３１が浅くなることによってフィン部５３が面積ＡＲ２１分大きくなり、面積ＡＲ２１＞面積ＡＲ２２であることから、全体としてフィン部５３の面積を大きくすることができる。
【０１２５】
また、図３に示すリモートラジオヘッド１００と比べて、フィルタ設置部分７１をフィンの延伸方向Ｘに対して斜めに設けることで、フィルタ設置部分７１とアンプ設置部分７２との段差部分すなわち接続部分７３が低くなり、フィルタユニット５１を取り付けやすくなるため、図１６のＣ６で示すように、延伸方向Ｘにおいてアンプ設置部分７２を長くすることができる。また、アンプ設置部分７２をフィンの延伸方向Ｘに対して斜めに設けることで、延伸方向Ｘにおいてアンプ設置部分７２をさらに長くすることができる。これにより、アンプ設置部分７２に対応するフィン部５３の面積すなわちアンプ設置部分７２と熱伝導的に接触するフィン部５３の面積を大きくすることができるため、リモートラジオヘッド１０１の放熱性能を向上させることができる。
【０１２６】
図１７は、本発明の第２の実施の形態に係るリモートラジオヘッドと、本発明の第１の実施の形態に係るリモートラジオヘッドとを比較するための図である。
【０１２７】
図１７を参照して、アンプ設置部分７２をフィンの延伸方向Ｘに対して斜めに設けることで、図１７のＣ５で示すように、フィルタ設置部分７１とアンプ設置部分７２との段差部分すなわち接続部分７３が低くなり、フィルタユニット５１を取り付けやすくなるため、フィルタ設置部分７１を短くし、アンプ設置部分７２を長くすることができる。これにより、アンプ設置部分７２に対応するフィン部５３の面積すなわちアンプ設置部分７２と熱伝導的に接触するフィン部５３の面積を大きくすることができるため、リモートラジオヘッド１０１の放熱性能を向上させることができる。
【０１２８】
また、リモートラジオヘッド１０１では、アンプ設置部分７２と方向Ｘとのなす角がθ−ξ（ξ＞０°）に設定される。すなわち、フィンの延伸方向Ｘに対するアンプ設置部分７２の角度は、フィンの延伸方向Ｘに対するフィルタ設置部分７１の角度よりも小さい。
【０１２９】
このような構成により、アンプ設置部分７２と方向Ｘとのなす角をたとえばθに設定する場合と比べて、空間３２が浅くなることで、アンプ設置部分７２に対応するフィン部５３の面積すなわちアンプ設置部分７２と熱伝導的に接触するフィン部５３の面積を大きくすることができるため、リモートラジオヘッド１０１の放熱性能をさらに向上させることができる。
【０１３０】
図１８は、図３に示す比較例の課題を説明するための図である。図１８は、図３における筐体５５側の部分を示している。
【０１３１】
図１８を参照して、パワーアンプユニット５２は、図２に示すようにたとえば直列接続されたドライバアンプ８４およびパワーアンプ８５を含み、最終段のパワーアンプ８５のゲインが最も大きく、発熱量も最も大きくなる。リモートラジオヘッド１０１の設置時、熱は天方向Ａに流れることから、フィン部５３による放熱性能を向上させるために、パワーアンプ８５を最も地側、すなわちフィルタユニット５１に近い位置に配置することが好ましい。
【０１３２】
また、パワーアンプユニット５２と筐体５５の底面部ＳＢとの接触面積すなわちパワーアンプユニット５２とフィン部５３との熱伝導的な接触面積を広くするために、天側Ａに向かってパワーアンプユニット５２を配置していくと、パワーアンプユニット５２による発熱部分が天側Ａに向かって移動していくため、フィン部５３によって形成される流路を有効に使えず、放熱性能が低下してしまう。
【０１３３】
これを解決するために、地側Ｂに向かってパワーアンプユニット５２を配置していくと、図１８のＣ２で示すように、パワーアンプユニット５２と筐体５５の底面部ＳＢとの非接触部分が生じることから、熱伝導性が悪くなり、放熱性能が低下してしまう。また、パワーアンプ８５を底面部ＳＢと接触させるために、パワーアンプ８５を天側Ａに向かって移動させると、リモートラジオヘッド１０１の設置時において、熱源をフィン部５３の上方にレイアウトすることになり、フィン部５３の下方を十分に利用できないために放熱性能が低下してしまう。
【０１３４】
図１９は、本発明の第２の実施の形態に係るリモートラジオヘッドにおいて、フィルタユニットおよびパワーアンプユニットを取り付けた状態を示す図である。
【０１３５】
本発明の第２の実施の形態に係るリモートラジオヘッドでは、図１６、図１７および図１９のＣ６で示すように、リモートラジオヘッド１００および本発明の第１の実施の形態に係るリモートラジオヘッドと比べて、方向Ｘにおいてアンプ設置部分７２を長くすることができる。これにより、筐体５５の底面部ＳＢとパワーアンプユニット５２の下面全体とを接触させることができるため、パワーアンプユニット５２とフィン部５３との熱伝導的な接触面積を大幅に広くすることができる。また、パワーアンプユニット５２のフィルタユニット５１側の端部に、最も高熱となるパワーアンプ８５を配置することができるため、リモートラジオヘッド１０１の放熱性能をさらに向上させることができる。
【０１３６】
したがって、本発明の第２の実施の形態に係るフィルタユニットでは、本発明の第１の実施の形態に係るフィルタユニットと比べて、さらに、放熱性能を向上させることができる。
【０１３７】
図２０〜図２２は、本発明の第２の実施の形態に係るリモートラジオヘッドにおいて、フィルタユニット５１を取り付ける様子を時系列的に示す図である。図２３は、図２０〜図２２の各状態をまとめて示す図である。
【０１３８】
前述のようにフィルタユニット５１において図１１に示すような構造を採用する、すなわち、コネクタ４１を、延伸方向が下面６１に対して斜めに、かつ下面６１から離れる方向で側面６３に設ける構成により、図２０〜図２３のＣ５，Ｃ６に示すように、フィルタ設置部分７１とアンプ設置部分７２との段差部分を低くし、方向Ｘにおいてアンプ設置部分７２を長くしても、フィルタユニット５１のコネクタ４１を筐体５５の側面部Ｓ３の内側から外側へ容易に通し、フィルタユニット５１を取り付けることができる。
【０１３９】
次に、本発明の他の実施の形態について図面を用いて説明する。なお、図中同一または相当部分には同一符号を付してその説明は繰り返さない。
【０１４０】
＜第３の実施の形態＞
本実施の形態は、第２の実施の形態に係るリモートラジオヘッドと比べてフィルタユニットの構造を変更したリモートラジオヘッドに関する。以下で説明する内容以外は第２の実施の形態に係るリモートラジオヘッドと同様である。
【０１４１】
図２４は、本発明の第３の実施の形態に係るフィルタユニットの構成を示す図である。
図２４を参照して、フィルタユニット５１の入力コネクタ４２は、角度ξをつけてレイアウトされる。図２４では、一例としてξ＝３°である。
【０１４２】
すなわち、コネクタ４２は、延伸方向が下面６１に対して斜めに、かつ下面６１へ近づく方向で、コネクタ４１の設けられた側面６３と反対側の側面６３に設けられる。そして、下面６１に対するコネクタ４２の延伸方向の角度は、フィンの延伸方向Ｘに対するフィルタ設置部分７１の角度θとフィンの延伸方向Ｘに対するアンプ設置部分７２の角度（θ−ξ）との差ξに略等しい。
【０１４３】
図２５は、本発明の第３の実施の形態に係るリモートラジオヘッドにおいて、フィルタユニットおよびパワーアンプユニットを取り付けた状態を示す図である。
【０１４４】
図２５を参照して、フィルタユニット５１において図２４に示すような構造を採用する、すなわち、コネクタ４２を、延伸方向が下面６１に対して斜めに、かつ下面６１へ近づく方向で、コネクタ４１の設けられた側面６３と反対側の側面６３に設ける構成により、パワーアンプユニット５２のコネクタ４３の延伸方向とフィルタユニット５１のコネクタ４２の延伸方向とを近づけることができる。すなわち、アンプ設置部分７２と方向Ｘとのなす角を（θ−ξ）として空間３２を浅くし、アンプ設置部分７２に対応するフィン部５３の面積を大きくしながら、パワーアンプユニット５２のコネクタ４３とフィルタユニット５１のコネクタ４２との接続作業を容易化することができる。
【０１４５】
さらに、下面６１に対するコネクタ４２の延伸方向の角度を、フィンの延伸方向Ｘに対するフィルタ設置部分７１の角度θとフィンの延伸方向Ｘに対するアンプ設置部分７２の角度（θ−ξ）との差ξに略等しく設定することにより、図２５に示すように、パワーアンプユニット５２のコネクタ４３とフィルタユニット５１のコネクタ４２とを同一方向に沿って配置することができる。
【０１４６】
すなわち、アンプ設置部分７２と方向Ｘとのなす角を（θ−ξ）として空間３２を浅くし、アンプ設置部分７２に対応するフィン部５３の面積を大きくしながら、フィルタユニット５１とパワーアンプユニット５２とをコネクタで直接接続することができる。
【０１４７】
これにより、フィルタユニット５１およびパワーアンプユニット５２を接続するためのケーブルが不要となり、製造コストを低減し、かつ信号の通過ロスを低減することができる。
【０１４８】
その他の構成および動作は第２の実施の形態に係るリモートラジオヘッドと同様であるため、ここでは詳細な説明を繰り返さない。
【０１４９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１５０】
１  無線送信部
２  無線受信部
３  送信信号測定部
３１，３２  空間
４１，４２，４３  コネクタ
５１  フィルタユニット
５２  パワーアンプユニット
５３，５４  フィン部
５５，５６  筐体
６１  下面
６２  上面
６３  側面
７１  フィルタ設置部分
７２  アンプ設置部分
８１  信号処理部
８２  デジタル／アナログ変換器
８３  変調器
８４  ドライバアンプ
８５  パワーアンプ
８６  送信フィルタ
８７  発振器
８８  カプラ
８９，９０  受信アンプ
９１  ミキサ
９２  ＢＰＦ
９３  アナログ／デジタル変換器
９４  発振器
９５  ミキサ
９６  ＢＰＦ
９７  アナログ／デジタル変換器
９８  発振器
１００，１０１  リモートラジオヘッド
１０２  本体装置
２０１  無線基地局装置（無線通信装置）
３０１  無線端末装置
ＳＢ，Ｓ１１  底面部
Ｓ１〜Ｓ４  側面部
【図１】
2012028894.tif 000003
【図２】
2012028894.tif 000004
【図３】
2012028894.tif 000005
【図４】
2012028894.tif 000006
【図５】
2012028894.tif 000007
【図６】
2012028894.tif 000008
【図７】
2012028894.tif 000009
【図８】
2012028894.tif 000010
【図９】
2012028894.tif 000011
【図１０】
2012028894.tif 000012
【図１１】
2012028894.tif 000013
【図１２】
2012028894.tif 000014
【図１３】
2012028894.tif 000015
【図１４】
2012028894.tif 000016
【図１５】
2012028894.tif 000017
【図１６】
2012028894.tif 000018
【図１７】
2012028894.tif 000019
【図１８】
2012028894.tif 000020
【図１９】
2012028894.tif 000021
【図２０】
2012028894.tif 000022
【図２１】
2012028894.tif 000023
【図２２】
2012028894.tif 000024
【図２３】
2012028894.tif 000025
【図２４】
2012028894.tif 000026
【図２５】
2012028894.tif 000027